(57)【要約】【課題】色数を制限した印刷や表示に際して、カラー選択の自由度を高め、色覚異常者に対してもカラーユニバーサルデザインの考え方に適切に対応して識別しやすい印刷物や表示を得られるようにする。【解決手段】印刷もしくは表示に用いるカラーモードの選択を受け付けるカラーモード選択受付手段と、印刷もしくは表示に用いるカラーの選択を受け付けるカラー選択受付手段と、選択されたカラーモードと選択されたカラーに基づいて、印刷もしくは表示する元データを印刷もしくは表示に用いるカラーに変換するためのカラー変換パレットを生成するカラー変換パレット生成手段と、印刷もしくは表示に際して、前記カラー変換パレットにより印刷もしくは表示する元データを出力データに変換するカラー変換手段とを備える。【選択図】図１
2012142830.tif 000002
【特許請求の範囲】
【請求項１】
印刷もしくは表示に用いるカラーモードの選択を受け付けるカラーモード選択受付手段と、
印刷もしくは表示に用いるカラーの選択を受け付けるカラー選択受付手段と、
選択されたカラーモードと選択されたカラーに基づいて、印刷もしくは表示する元データを印刷もしくは表示に用いるカラーに変換するためのカラー変換パレットを生成するカラー変換パレット生成手段と、
印刷もしくは表示に際して、前記カラー変換パレットにより印刷もしくは表示する元データを出力データに変換するカラー変換手段と
を備えたことを特徴とする画像処理装置。
【請求項２】
請求項１に記載の画像処理装置において、
前記カラー選択受付手段は、複数のカラーを選択するカラー選択画面を表示し、複数のカラーの選択を受け付ける
ことを特徴とする画像処理装置。
【請求項３】
請求項１に記載の画像処理装置において、
前記カラーモード選択受付手段がカラーモードとしてカラーユニバーサルデザインに基づいたカラー選択を受け付けた場合に、前記カラー選択受付手段により選択できるカラーを制限するカラー制限手段
を更に備えたことを特徴とする画像処理装置。
【請求項４】
請求項３に記載の画像処理装置において、
前記カラーモード選択受付手段は、色覚型を文字により表示した項目からカラーモードの選択を受け付け、
前記カラー選択受付手段は、選択されたカラーモードの色覚型に基づいて選択できるカラーを制限する
ことを特徴とする画像処理装置。
【請求項５】
請求項１に記載の画像処理装置において、
印刷を対象とする場合であって、出力先となる画像形成装置の色材の残量に基づいて前記カラー選択受付手段により選択できるカラーを制限するカラー制限手段
を更に備えたことを特徴とする画像処理装置。
【請求項６】
印刷もしくは表示に用いるカラーモードの選択を受け付けるカラーモード選択受付工程と、
印刷もしくは表示に用いるカラーの選択を受け付けるカラー選択受付工程と、
選択されたカラーモードと選択されたカラーに基づいて、印刷もしくは表示する元データを印刷もしくは表示に用いるカラーに変換するためのカラー変換パレットを生成するカラー変換パレット生成工程と、
印刷もしくは表示に際して、前記カラー変換パレットにより印刷もしくは表示する元データを出力データに変換するカラー変換工程と
を備えたことを特徴とする画像処理方法。
【請求項７】
画像処理装置を構成するコンピュータを、
印刷もしくは表示に用いるカラーモードの選択を受け付けるカラーモード選択受付手段、
印刷もしくは表示に用いるカラーの選択を受け付けるカラー選択受付手段、
選択されたカラーモードと選択されたカラーに基づいて、印刷もしくは表示する元データを印刷もしくは表示に用いるカラーに変換するためのカラー変換パレットを生成するカラー変換パレット生成手段、
印刷もしくは表示に際して、前記カラー変換パレットにより印刷もしくは表示する元データを出力データに変換するカラー変換手段
として機能させる画像処理プログラム。
【請求項８】
請求項７に記載の画像処理プログラムを記録したコンピュータ読み取り可能な記録媒体。
【発明の詳細な説明】
【技術分野】
【０００１】
本発明は、画像処理装置による印刷もしくは表示のカラー制限の技術に関する。
【背景技術】
【０００２】
フルカラープリンタや複合機（ＭＦＰ：Multi Function Printer）において、フルカラーかモノクロでなく、その中間にあたるカラー制限を行った印刷、コピーが、２色プリント、２色印刷、モノカラープリント等の名称で既に知られている。
【０００３】
これらは、フルカラーが４色（ブラック、シアン、マゼンタ、イエロー）の色材（インク、トナー等）を使って印刷するのに対し、２色や３色の色材、あるいは色を制限して印刷するものである。色数が減少する代わりにトナーの消費を抑え、資源の節約やコストダウンを図ることができ、環境に敏感なユーザやオフィス文書を中心に次第に使われるようになってきた。以下では、このような２色や３色あるいは色の制限による印刷をカラー制限印刷と呼ぶこととする。
【０００４】
一方で、世界の人口のうち、色弱や色盲といった人は大体２億人以上もいると言われており、さらに目の疾患がある人も考慮すると、無視できない色覚異常の人々が存在する。色弱や色盲にはいくつか類型はあるものの、特定のカラーでしか印刷できないと、特定の人には認識しづらい印刷物となる恐れがある。こういった問題に対応するため、カラーユニバーサルデザイン（カラーユニバーサルデザイン機構、http://www.cudo.jp/cud_nani/index.html）に対応した印刷が既に知られている。
【発明の概要】
【発明が解決しようとする課題】
【０００５】
従来におけるプリンタ等では、上述したカラー制限印刷に対応したものも存在するが、予めセットされたカラーで印刷するものとなっている。従って、一般のユーザにとっては、好みのカラーで印刷を行いたいと思っても、そのような自由度は存在しなかった。例えば、「黒・赤」、「黒・緑」、「黒・青」、「黒・マゼンダ」、「黒・イエロー」、「黒・シアン」等が選択できるようになっているプリンタが存在するが、このような予め特定のカラーがプリセットされたものを選ぶだけであるため、ユーザにとっては「赤」といっても明るい赤もあれば、黒に近い赤やピンクに近い赤もあり、用語だけでは色を認識できず、好みのカラーを使用することはできない。色覚異常者にとっては、予めセットされたカラーでは認識しづらい場合に、他のカラーに変更するすべがない。
【０００６】
また、実際に販売されているほとんどのプリンタでは、１色でも色材が欠けると印刷できなくなってしまう。これは、フルカラー印刷の場合も同様であるが、予定された色数による印刷が色材の不足により正常に行えないからである。従って、他の色材が残っていたとしても、欠けた色材の代わりに使うことはできず、残った色材を有効に活用することができない。
【０００７】
一方、特許文献１には、色盲のユーザが弁別しやすい色を回復することを目的に、画像の内容によって補正方法を選択するカラー印刷方法が開示されている。しかし、フルカラー印刷時における色の補正を行うものであり、フルカラー以外の画像を対象とするものではない。
【０００８】
なお、印刷について説明してきたが、モニタへの表示についても、色材の欠如を除いては、同様の問題がある。
【０００９】
本発明は上記の従来の問題点に鑑み提案されたものであり、その目的とするところは、色数を制限した印刷や表示に際して、カラー選択の自由度を高め、色覚異常者に対してもカラーユニバーサルデザインの考え方に適切に対応して識別しやすい印刷物や表示を得られるようにすることにある。
【課題を解決するための手段】
【００１０】
上記の課題を解決するため、本発明にあっては、請求項１に記載されるように、印刷もしくは表示に用いるカラーモードの選択を受け付けるカラーモード選択受付手段と、印刷もしくは表示に用いるカラーの選択を受け付けるカラー選択受付手段と、選択されたカラーモードと選択されたカラーに基づいて、印刷もしくは表示する元データを印刷もしくは表示に用いるカラーに変換するためのカラー変換パレットを生成するカラー変換パレット生成手段と、印刷もしくは表示に際して、前記カラー変換パレットにより印刷もしくは表示する元データを出力データに変換するカラー変換手段とを備える画像処理装置を要旨としている。
【００１１】
また、請求項２に記載されるように、請求項１に記載の画像処理装置において、前記カラー選択受付手段は、複数のカラーを選択するカラー選択画面を表示し、複数のカラーの選択を受け付けるようにすることができる。
【００１２】
また、請求項３に記載されるように、請求項１に記載の画像処理装置において、前記カラーモード選択受付手段がカラーモードとしてカラーユニバーサルデザインに基づいたカラー選択を受け付けた場合に、前記カラー選択受付手段により選択できるカラーを制限するカラー制限手段を更に備えるようにすることができる。
【００１３】
また、請求項４に記載されるように、請求項３に記載の画像処理装置において、前記カラーモード選択受付手段は、色覚型を文字により表示した項目からカラーモードの選択を受け付け、前記カラー選択受付手段は、選択されたカラーモードの色覚型に基づいて選択できるカラーを制限するようにすることができる。
【００１４】
また、請求項５に記載されるように、請求項１に記載の画像処理装置において、印刷を対象とする場合であって、出力先となる画像形成装置の色材の残量に基づいて前記カラー選択受付手段により選択できるカラーを制限するカラー制限手段を更に備えるようにすることができる。
【００１５】
また、請求項６に記載されるように、印刷もしくは表示に用いるカラーモードの選択を受け付けるカラーモード選択受付工程と、印刷もしくは表示に用いるカラーの選択を受け付けるカラー選択受付工程と、選択されたカラーモードと選択されたカラーに基づいて、印刷もしくは表示する元データを印刷もしくは表示に用いるカラーに変換するためのカラー変換パレットを生成するカラー変換パレット生成工程と、印刷もしくは表示に際して、前記カラー変換パレットにより印刷もしくは表示する元データを出力データに変換するカラー変換工程とを備える画像処理方法として構成することができる。
【００１６】
また、請求項７に記載されるように、画像処理装置を構成するコンピュータを、印刷もしくは表示に用いるカラーモードの選択を受け付けるカラーモード選択受付手段、印刷もしくは表示に用いるカラーの選択を受け付けるカラー選択受付手段、選択されたカラーモードと選択されたカラーに基づいて、印刷もしくは表示する元データを印刷もしくは表示に用いるカラーに変換するためのカラー変換パレットを生成するカラー変換パレット生成手段、印刷もしくは表示に際して、前記カラー変換パレットにより印刷もしくは表示する元データを出力データに変換するカラー変換手段として機能させる画像処理プログラムとして構成することができる。
【００１７】
また、請求項８に記載されるように、請求項７に記載の画像処理プログラムを記録した記録媒体として構成することができる。
【発明の効果】
【００１８】
本発明の画像処理装置にあっては、色数を制限した印刷や表示に際して、カラー選択の自由度を高め、色覚異常者に対してもカラーユニバーサルデザインの考え方に適切に対応して識別しやすい印刷物や表示を得ることができる。
【図面の簡単な説明】
【００１９】
【図１】本発明の一実施形態にかかるシステムの構成例を示す図である。
【図２】第１の処理例を示すフローチャートである。
【図３】第１の処理例における印刷設定画面の例を示す図である。
【図４】第１の処理例におけるカラー設定画面の例を示す図である。
【図５】第２の処理例を示すフローチャートである。
【図６】第２の処理例における印刷設定画面の例を示す図である。
【図７】第２の処理例におけるカラー設定画面の例を示す図（その１）である。
【図８】第２の処理例におけるカラー設定画面の例を示す図（その２）である。
【発明を実施するための形態】
【００２０】
以下、本発明の好適な実施形態につき説明する。
【００２１】
＜構成＞
図１は本発明の一実施形態にかかるシステムの構成例を示す図である。
【００２２】
図１において、パーソナルコンピュータ（ＰＣ）等の利用者端末装置１は、ネットワークを介して、あるいは直接に、ＭＦＰ等の画像形成装置２と接続されている。
【００２３】
利用者端末装置１は、文書作成等を行うアプリケーション１０１と、基本ソフトであるオペレーティングシステム１０２と、画面表示を行う表示装置１１２と、ネットワーク等を介して画像形成装置２と通信を行う通信部１１３とを備えている。
【００２４】
オペレーティングシステム１０２は、画像形成装置２もしくは表示装置１１２の動作を制御するドライバ１０３と、その他のオペレーティングシステムとしての基本的な動作を行う基本機能部１１１とを備えている。
【００２５】
ドライバ１０３は、動作条件の設定をユーザと対話的に行うためのユーザインタフェース部１０４と、ドライバとしての基本的な動作を行う基本機能部１０９とを備えている。ユーザインタフェース部１０４は、カラーモード選択受付部１０５と選択可能カラー決定部１０６と使用カラー選択受付部１０７とカラー変換パレット生成部１０８とを備えている。
【００２６】
カラーモード選択受付部１０５は、印刷もしくは表示に用いるカラーモードの選択をユーザから受け付ける機能を有している。
【００２７】
選択可能カラー決定部１０６は、 カラーモードによるカラーユニバーサルデザインの指定もしくは印刷にあたっての色材の残量等により、ユーザにより選択可能なカラーを決定する機能を有している。
【００２８】
使用カラー選択受付部１０７は、ユーザによりカラー選択が指定された場合に、所定のインタフェースによりユーザからカラーの選択を受け付ける機能を有している。
【００２９】
カラー変換パレット生成部１０８は、ユーザにより選択されたカラーに基づいて、画像形成装置２に出力する描画データもしくは表示装置１１２に出力する表示データのカラーを変換するためのカラー変換パレットを生成する機能を有している。
【００３０】
また、基本機能部１０９は、カラー変換パレット適用部１１０を備えている。カラー変換パレット適用部１１０は、画像形成装置２に出力する描画データもしくは表示装置１１２に出力する表示データに対して、ユーザインタフェース部１０４のカラー変換パレット生成部１０８により生成されたカラー変換パレットを用いてカラー変換を行う機能を有している。
【００３１】
カラー変換パレットは、例えば、全てのＲＧＢ（Red,Green,Blue）の組み合わせに対して出力するＲＧＢを対応させたテーブルや計算式としてもよいし、ＲＧＢの色相（例えば、ＲＧＢの比率）に対して出力するＲＧＢの色相を対応させたテーブルや計算式としてもよい。後者の場合、入力されたＲＧＢから色相と明度（例えば、ＲＧＢの平均）を算出し、色相からテーブル等で求めた出力の色相に明度を乗算することで出力するＲＧＢを取得することになる。なお、ＲＧＢから印刷時のＣＭＹＫ（Cyan,Magenta,Yellow,blacK）への変換は画像形成装置２側で行われるのが一般的である。
【００３２】
＜動作＞
図２は第１の処理例を示すフローチャートであり、ドライバ１０３をプリンタドライバとし、画像形成装置２により任意の２色印刷を行う場合を想定している。
【００３３】
図２において、先ず、印刷するデータファイルをアプリケーション１０１で開き、印刷開始指示を行うことで印刷設定が開始し（ステップＳ１０１）、ドライバ１０３のユーザインタフェース部１０４により印刷設定ＵＩ（User Interface）としての印刷設定画面が表示装置１１２上に表示される（ステップＳ１０２）。印刷設定ＵＩではユーザにより操作されるまではそのままの状態でＵＩ操作を待つ（ステップＳ１０３のＮｏ）。
【００３４】
図３はカラーモード選択受付部１０５により表示される印刷設定画面１２１の例を示しており、カラーモード選択メニュー１２２から所望の項目を選択できるようになっている。この例では、「フルカラー」「白黒」「２色（選択）」「２色（ユニバーサル選択）」「黒・赤」「黒・緑」「黒・青」等が選択可能になっている。
【００３５】
図２に戻り、ユーザが２色カラー選択（図３の「２色（選択）」に相当）を選択したとすると（ステップＳ１０３の２色カラー選択）、ユーザインタフェース部１０４の使用カラー選択受付部１０７は、カラー設定画面により、ユーザから第１のカラーの選択を受け付ける（ステップＳ１０４）。第１のカラーは、印刷に用いる代表的なカラーを選択する。
【００３６】
図４はカラー設定画面１２３の例を示しており、図４（ａ）はハニカム状に異なるカラーを配置した画面からカラーを選択させるようにしたもの、図４（ｂ）はグラデーション状にカラーを配置した画面からカラーを選択させるようにしたものである。これらはＯＳ標準的なＵＩであるが、あまり厳密なものでなくてよければ、他にもカラースペクトルにスライダー状のＵＩを配置したもの、カラーを円周上に連続的に配置したもの、カラー候補を数個タイル状に並べたもの等が考えられる。いずれにしても色空間を二次元的に表現するには何らかの制約が必要になり、全ての色を配置できないので、そこはある程度割り切りが必要である。
【００３７】
次いで、図２に戻り、ユーザから第２のカラーの選択を受け付ける（ステップＳ１０５）。第２のカラーは、黒に相当するカラーを選択する。カラー設定画面は図４に示したものと同様である。なお、ユーザにより選択された第１、第２のカラーのみを用いてもよいし、更に第３のカラーとして黒を用いてもよい。また、第１のカラーのみをユーザに選択させ、第２のカラーは黒とするようにしてもよい。
【００３８】
次いで、図２に戻り、カラー変換パレット生成部１０８は、ユーザにより選択された第１、第２のカラーからカラー変換パレットを生成する（ステップＳ１０６）。カラー変換パレットの生成に際し、どの色をどの色に配色すべきかは種々の既知の減色方法が存在するので、そのいずれかを適用すればよい。
【００３９】
カラー変換パレットの生成（ステップＳ１０６）の後、印刷設定ＵＩに戻る。
【００４０】
次いで、カラーの指定が終わって印刷の開始が指示されると（ステップＳ１０３の開始）、ドライバ１０３は印刷を開始し（ステップＳ１０７）、カラー変換パレット適用部１１０は前述した処理（ステップＳ１０６）で生成されたカラー変換パレットに従って減色処理を行い（ステップＳ１０８）、画像形成装置２に対して印刷データを送信する（ステップＳ１０９）。
【００４１】
また、印刷設定ＵＩ上でキャンセルが指示されたときは（ステップＳ１０３のキャンセル）、必要があればキャンセル処理により内部データを初期化し（ステップＳ１１０）、何もせず終了する（ステップＳ１１１）。
【００４２】
画像形成装置２により印刷を行う場合について説明したが、表示装置１１２に表示する場合は、図２における「印刷」が「表示」に置き換わるだけである。
【００４３】
図５は第２の処理例を示すフローチャートであり、ドライバ１０３をプリンタドライバとし、画像形成装置２によりカラー選択に制限のある任意の２色印刷を行う場合を想定している。
【００４４】
図５において、先ず、印刷するデータファイルをアプリケーション１０１で開き、印刷開始指示を行うことで印刷設定が開始し（ステップＳ２０１）、ドライバ１０３のユーザインタフェース部１０４により印刷設定ＵＩとしての印刷設定画面が表示装置１１２上に表示される（ステップＳ２０２）。印刷設定ＵＩではユーザにより操作されるまではそのままの状態でＵＩ操作を待つ（ステップＳ２０３のＮｏ）。
【００４５】
図６はカラーモード選択受付部１０５により表示される印刷設定画面１２１の例を示しており、カラーモード選択メニュー１２２から所望の項目を選択できるようになっている。この例では、「フルカラー」「白黒」「２色（色覚型を以下から選択）」「Ｐ型（強）」「Ｐ型（弱強）」「Ｄ型（強）」「Ｄ型（弱強）」「Ｔ型」「Ａ型」等が選択可能になっている。色覚異常の場合、いくつかパターンがあるので、その類型を提示し、自分がどの類型に当てはまるか分かっている場合は文字表記によるメニューから選択することができる。
【００４６】
図５に戻り、ユーザが２色カラー選択（図６の「２色（色覚型を以下から選択）」以下の項目選択に相当）を選択したとすると（ステップＳ２０３の２色カラー選択）、ユーザインタフェース部１０４の選択可能カラー決定部１０６は、色覚型の選択によりカラー選択肢に制限が必要になることを検知する（ステップＳ２０４）。また、選択可能カラー決定部１０６は、画像形成装置２との間で予めドライバの基本機能により行う通信もしくは動的に行う通信により色材の残量を取得し、残量が少ない色材がある場合にも、カラー選択肢に制限が必要になることを検知する。
【００４７】
次いで、選択可能カラー決定部１０６は、色覚型の選択によりカラー選択肢に制限が必要になると検知した場合には、色覚型に対応させて内部的に保持しているテーブル等に従い、カラー選択肢の制限を行う（ステップＳ２０５）。残量が少ない色材があることによりカラー選択肢に制限が必要になると検知した場合には、残量の少ない色材を排除したカラー選択肢の制限を行う。
【００４８】
次いで、使用カラー選択受付部１０７は、カラー設定画面により、ユーザから第１のカラーの選択を受け付ける（ステップＳ２０６）。第１のカラーは、印刷に用いる代表的なカラーを選択する。
【００４９】
図７はカラー設定画面１２３の例を示しており、カラーユニバーサルデザインに基づき、選択された色覚型で認識が容易であるカラーのみを残し、カラーユニバーサルデザインで推奨されないカラーを除外したものである。これによれば、色覚異常の人は実際に印刷される色の中から自分に見やすいカラーを選ぶことができ、最適化された印刷物を得ることができる。
【００５０】
また、図８は他のカラー設定画面１２３の例を示しており、図８（ａ）はある色材（例えば、マゼンタ）の残量が少ない場合に、その色材を多量に用いるカラー（色材がマゼンタである場合は、マゼンダの濃度が濃い赤系のカラー）を除外したもの、図８（ｂ）はある色材（例えば、マゼンタ）の残量がほとんどない場合に、その色材を用いるカラーを完全に除外した例である。ユーザはそれらの中からカラーを選ばざるを得ないので、必然的に欠如した色材が入った印刷は排除され、その色材がなくてもカラー印刷が可能となる。逆に、その色材が補充されたり、他の色材も同じように減ってきたら、当初に制限した色材だけを排除する必然性はないので、図８（ａ）のような状態にしたり、制限せず元に戻すことも考えられる。
【００５１】
次いで、図５に戻り、ユーザから第２のカラーの選択を受け付ける（ステップＳ２０７）。第２のカラーは、黒に相当するカラーを選択する。カラー設定画面は図７および図８に示したものと同様である。なお、ユーザにより選択された第１、第２のカラーのみを用いてもよいし、更に第３のカラーとして黒を用いてもよい。また、第１のカラーのみをユーザに選択させ、第２のカラーは黒とするようにしてもよい。
【００５２】
次いで、図５に戻り、カラー変換パレット生成部１０８は、ユーザにより選択された第１、第２のカラーからカラー変換パレットを生成する（ステップＳ２０８）。カラー変換パレットの生成に際し、どの色をどの色に配色すべきかは種々の既知の減色方法が存在するので、そのいずれかを適用すればよい。
【００５３】
カラー変換パレットの生成（ステップＳ２０８）の後、印刷設定ＵＩに戻る。
【００５４】
次いで、カラーの指定が終わって印刷の開始が指示されると（ステップＳ２０３の開始）、ドライバ１０３は印刷を開始し（ステップＳ２０９）、カラー変換パレット適用部１１０は前述した処理（ステップＳ２０８）で生成されたカラー変換パレットにしたがって減色処理を行い（ステップＳ２１０）、画像形成装置２に対して印刷データを送信する（ステップＳ２１１）。
【００５５】
また、印刷設定ＵＩ上でキャンセルが指示されたときは（ステップＳ２０３のキャンセル）、必要があればキャンセル処理により内部データを初期化し（ステップＳ２１２）、何もせず終了する（ステップＳ２１３）。
【００５６】
画像形成装置２により印刷を行う場合について説明したが、表示装置１１２に表示する場合は、図５における「印刷」が「表示」に置き換わるだけである。
【００５７】
＜総括＞
以上説明したように、本実施形態によれば次のような利点がある。
（１）フルカラー、白黒以外の制限されたカラーによる印刷や表示においても、予め決められたカラーで印刷や表示を行うのでなく、ユーザが自ら識別しやすいカラーを選択することができる（変換する色をユーザが選択できる）ので、一般人は好みのカラーを使用することができ、色弱者、色盲者等の色覚異常者は識別しやすい印刷物や表示を得ることができる。
（２）色覚型をメニュー形式で選択可能とすることで、色覚異常があるユーザでも苦労して毎々カラーを選択せずとも判別できる印刷物や表示を得ることができる。
（３）印刷を対象とする場合、色材の残量が減った場合であっても、印刷を禁止することなく、他の色材によりそれなりに見られる印刷物が得られ、色材を有効活用することができ、画像形成装置の稼働率も高めることができる。
【００５８】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５９】
１          利用者端末装置
１０１      アプリケーション
１０２      オペレーティングシステム
１０３      ドライバ
１０４      ユーザインタフェース部
１０５      カラーモード選択受付部
１０６      選択可能カラー決定部
１０７      使用カラー選択受付部
１０８      カラー変換パレット生成部
１０９      基本機能部
１１０      カラー変換パレット適用部
１１１      基本機能部
１１２      表示装置
１１３      通信部
２          画像形成装置
【先行技術文献】
【特許文献】
【００６０】
【特許文献１】特開２００８−８６０１１号公報
【図１】
2012142830.tif 000003
【図２】
2012142830.tif 000004
【図５】
2012142830.tif 000005
【図３】
2012142830.tif 000006
【図４】
2012142830.tif 000007
【図６】
2012142830.tif 000008
【図７】
2012142830.tif 000009
【図８】
2012142830.tif 000010